(57)【特許請求の範囲】
【請求項１】
テレビジョン受像機において、
異なる位置に移動可能なアンテナを少なくとも含み、チャンネルを受信する入力手段と、
上記入力手段に接続され、個々のチャンネルを選局する選択手段と、
検出された各アナログチャンネルのスキップデータを記憶手段に記憶することによりアナログチャンネルのみを自動的にプログラミングする第１の自動プログラミング手段と、
検出されたアナログチャンネルの各々に対して上記デジタルチャンネルの自動プログラミングをスキップし、検出された各デジタルチャンネルのスキップデータを上記記憶手段に記憶することによりデジタルチャンネルのみを自動的にプログラミングする第２の自動プログラミング手段とを備えるテレビジョン受像機。
【請求項２】
上記記憶手段に記憶された各デジタルチャンネルについての上記アンテナの位置を、上記記憶手段に記憶することを特徴とする請求項１に記載のテレビジョン受像機。
【請求項３】
デジタルチャンネルを自動的にプログラミングする上記第２の自動プログラミング手段は、アンテナを異なる位置に移動させて、自動プログラミングを繰り返すことを特徴とする請求項２に記載のテレビジョン受像機。
【請求項４】
上記アナログチャンネルはＮＴＳＣフォーマットであり、上記デジタルチャンネルは８ＶＳＢフォーマットであることを特徴とする請求項１に記載のテレビジョン受像機。
【請求項５】
テレビジョン受像機の自動プログラミング方法において、
チャンネルがスキップされるか否かを示すスキップデータをメモリに記憶するステップと、
アンテナ又は他の入力源からのテレビジョン信号を、個々のチャンネルを選局するチューナに供給するステップと、
検出された各アナログチャンネルのスキップデータを上記メモリに記憶することによりアナログチャンネルを自動的にプログラミングするステップと、
検出されたアナログチャンネルの各々に対して上記デジタルチャンネルの自動プログラミングをスキップし、検出された各デジタルチャンネルのスキップデータを上記メモリに記憶することによりデジタルチャンネルを自動的にプログラミングするステップとを有するテレビジョン受像機の自動プログラミング方法。
【請求項６】
上記メモリに記憶された各デジタルチャンネルについてのアンテナの位置を上記メモリに記憶することを特徴とする請求項５に記載のテレビジョン受像機の自動プログラミング方法。
【請求項７】
異なるアンテナを有するデジタルチャンネル及びアンテナの位置データを上記メモリに記憶するステップを有することを特徴とする請求項５に記載のテレビジョン受像機の自動プログラミング方法。
【請求項８】
テレビジョン受像機の自動プログラミング装置において、
従来のアナログチャンネルを識別し、識別された各アナログチャンネルのスキップフラグデータをスキップデータメモリに記憶する手段と、
識別されたアナログチャンネルの各々をスキップすることによりデジタルテレビジョンチャンネルを識別し、前に記憶されたチャンネルマップ情報を削除又は上書きせずに、識別された各デジタルテレビジョンチャンネルのスキップフラグデータを上記スキップデータメモリに記憶する手段とを備えるテレビジョン受像機の自動プログラミング装置。
【請求項９】
上記マッピングされたデジタルテレビジョンチャンネルのアンテナの位置の情報を上記スキップデータメモリに記憶する手段を備える請求項８に記載のテレビジョン受像機の自動プログラミング装置。
【発明の詳細な説明】
【０００１】
【発明の属する技術分野】
本発明は、テレビジョン受像機、テレビジョン受像機の自動プログラミング方法及び装置に関し、特に、アナログチャンネル及びデジタルチャンネルを受信するテレビジョン受像機、並びに従来のアナログチャンネル及びデジタルチャンネルを受信するテレビジョン受像機の自動プログラミング方法及び装置に関する。
【０００２】
【従来の技術】
テレビジョン受像機の電源が最初に投入された時点では、テレビジョン受像機が有するチャンネルマップデータベース又はスキップチャンネルデータベースには、チャンネル情報が含まれていない。利用者がチャンネルを昇順に進ませる等のチャンネル変更のコマンドを入力すると、テレビジョン受像機は、各チャンネルの受信信号の有無に関わらず、チャンネルを１ずつ大きくなるように進ませていく。これは、チャンネルを降順に進ませるというチャンネル変更の際も同様である。
【０００３】
自動プログラミングの機能を有効にするには、利用者は、有効なチャンネルの物理的なチャンネル番号を覚えておき、それらの番号を入力しなければならない。高性能なテレビジョン受像機では、プログラミング可能なチャンネルマップデータベースを有しており、利用者は、このデータベースにチャンネルを追加したり、チャンネルを削除したりすることができる。このテレビジョン受像機は、プログラミング可能なチャンネルマップデータベースを有しているという点で高性能であるが、利用者がこのチャンネルマップデータベースをプログラミングするのには、多くの時間と労力を要する。
【０００４】
自動プログラミング機能は、従来のアナログテレビジョン受像機において一般的に利用することができる。図５に、アナログフォーマットのＮＴＳＣフォーマット信号を受信する従来のＮＴＳＣ方式のテレビジョン受像機４０の構成を示す。ＮＴＳＣ方式のテレビジョン受像機４０は、図５に示すように、所望のチャンネルを選局するチューナ４１と、選局されたチャンネルの映像信号を増幅する映像中間周波増幅器４２と、映像信号から水平同期信号を分離する水平同期分離回路４３と、映像信号からＲＧＢ信号を再生する映像信号処理回路４４と、画像を表示する陰極線管（cathode ray tube：以下、ＣＲＴという。）４５と、これらの回路を制御するマイクロプロセッサ４６と、スキップデータを記憶するスキップデータメモリ４７とを備える。
【０００５】
チューナ４１には、アンテナ４で受信されたテレビジョン信号、又は例えば同軸ケーブルを介して伝送されてくるテレビジョン信号が供給される。マイクロプロセッサ４６は、チューナ４１内の位相同期ループ（phase lock loop：以下、ＰＬＬという。）回路を制御するための選局データを生成する。この選局データは、直列データとしてチューナ４１に供給され、チューナ４１は、選局データに基づいて所望のＮＴＳＣチャンネルを選局する。この際、チューナ４１は、同調ずれを補償するための自動微同調制御（automatic fine tuning：以下、ＡＦＴという。）電圧を発生し、このアナログのＡＦＴ電圧は、例えばマイクロプロセッサ４６に内蔵されたアナログ／デジタル変換器４６ａに供給され、デジタル信号に変換される。ところで、選局したチャンネルの信号が受信されるときには、ＡＦＴ電圧はある規定の範囲内にあり、マイクロプロセッサ４６は、ＡＦＴ電圧を検出する。そして、受信信号が音声搬送波ではなく映像搬送波であることを示すＡＦＴ電圧が一旦設定されると、映像中間周波増幅器４２は、チューナ４１からの映像信号をダウンコンバートするとともに増幅し、増幅した映像信号を水平同期分離回路４３及び映像信号処理回路４４に供給する。水平同期分離回路４３は、映像信号から水平同期信号を分離して、マイクロプロセッサ４６に供給する。マイクロプロセッサ４６は、その水平同期信号をサンプリングし、水平同期信号が実際に１５．７３４ｋＨｚであるかを検証する。そして、そうでない場合は、音声搬送波が捕捉されたか、又は受信信号が有効なＮＴＳＣ信号ではないかのいずれかを意味する。受信信号がＮＴＳＣ信号である場合は、映像信号処理回路４４で増幅された映像信号からＲＧＢ信号を再生して、ＣＲＴ４５に供給する。かくして、ＣＲＴ４５の表示画面には、選局されたチャンネルの番組の画像が表示される。
【０００６】
このように構成されるテレビジョン受像機における自動プログラミングは、全てのチャンネルの中で有効なチャンネルと無効なチャンネルを区別し、テレビジョン受像機において有効なチャンネルを自動的に並べる機能を果たすものである。この自動プログラミング機能では、番号の最も小さい選局可能なチャンネル又は番号の最も大きい選局可能なチャンネルのいずれかからチャンネルを調べ、チャンネルが有効な信号を含むか否かに関するマーカをチャンネルマップデータベースに記憶する。次に、現在のデータベース、すなわちスキップデータメモリ４７をリセットし、有効な信号を含まないチャンネルをスキップするのに用いられるＳＦＬＧを書き込むようになっている。利用者は、この自動プログラミング機能を何時でも用いることができる。例えば、利用者が別の地域に引っ越ししたり、又は地元のケーブル放送会社がチャンネルを追加したり削除したりした場合、利用者は、この自動プログラミング機能を単に働かせるだけで、テレビジョン受像機を自動的に再プログラミングすることができる。
【０００７】
典型的な自動プログラミング装置が、「スキップチャンネルリストを自動的にプログラミングするテレビジョン受像機」と題された米国特許第４８７０４９２号に開示されている。この特許は、メモリに記憶されたスキップフラグデータに基づいてチャンネルをスキップするチャンネルスキップ機能を備えたテレビジョン受像機を開示している。この自動プログラミング機能は、どのチャンネルが有効かを決定するとともに、メモリにスキップフラグデータを記憶しておき、利用できないチャンネルを利用者がアクセスしないようにするものである。
【０００８】
図６に、米国特許第４８７０４９２号で開示されたような標準的なＮＴＳＣ方式のテレビジョン受像機における従来の自動プログラミング機能のフローチャートを示す。まず、自動プログラミング機能が利用者によって起動される。
【０００９】
ステップＳ３１において、チューナ４１は、最も小さい（又は最も大きい）番号のチャンネルをアクセスする。
【００１０】
ステップＳ３２（ステップＳ３２−Ｓ３６−Ｓ３７−Ｓ３２に戻るループ）において、自動プログラミングの前に、マイクロプロセッサ４６は、スキップデータメモリ４７に記憶されている全てのチャンネルに対するＳＦＬＧデータを“０”に設定する。ＮＴＳＣ方式のチューナ４１は、チャンネルの選局信号を合成するＰＬＬ回路を一般的に備えている。
【００１１】
ステップＳ３３において、マイクロプロセッサ４６は、ＰＬＬ回路のチャンネルデータをアクセスする。
【００１２】
ステップＳ３４において、マイクロプロセッサ４６は、そのチャンネルで有効なＮＴＳＣ信号が受信されているかを判定し、該当する（ＹＥＳ）ときはステップＳステップＳ３５に進み、該当しない（ＮＯ）ときはステップＳ３６に進む。すなわち、有効な信号が受信されていないチャンネルに対しては、スキップデータメモリ４７のＳＦＬＧデータが“０”のまま保持される。
【００１３】
一方、ステップＳ３５において、マイクロプロセッサ４６は、そのチャンネルのＳＦＬＧデータを“１”に設定した後、ステップＳ３６に進む。
【００１４】
ステップＳ３６において、マイクロプロセッサ４６は、チャンネルＣＨを１増加させ（ＣＨ＝ＣＨ＋１）、次のチャンネルをアクセスする。
【００１５】
ステップＳ３７において、マイクロプロセッサ４６は、全てのチャンネルに対して処理を行ったかを判定し、該当するときは終了し、該当しないときはステップＳ３２に戻り、ステップＳ３２〜ステップＳ３６の処理を繰り返す。これによって、例えば若い番号のチャンネルから順次アクセスされ、有効なＮＴＳＣチャンネルに対しては、ＳＦＬＧデータが“１”に設定され、有効なＮＴＳＣチャンネルでないチャンネルに対しては、ＳＦＬＧデータが“０”の設定のまま保持される。そして、ステップＳ３７において、チューナ４１がアクセスできる全てのチャンネルがアクセスされると、自動プログラミングが終了する。したがって、利用者がチャンネルを選局する際、スキップデータメモリ３３に“１”と記憶されているチャンネルのみが画面に表示され、残りのチャンネルはスキップされる。
【００１６】
上述したような自動プログラミング装置では、自動プログラミング機能によって並べられる全てのチャンネルが、単一の入力源から信号が供給されることが前提としている。すなわち、利用者が、例えば入力源としてケーブルプロバイダを有しているときは、全ての有効なチャンネルは、このケーブルプロバイダから供給され、同様に、入力源が例えばアンテナであるときは、全ての有効なチャンネルは、このアンテナから供給される。自動プログラミング機能が利用者によって起動される毎に、有効な信号を含むチャンネルのみを有する新たなチャンネルマップデータベースが作成される。ところが、自動プログラミング機能が実行される毎に、自動プログラミング装置は、元々チャンネルマップデータベースに記憶されている内容を無視し、現在有効なチャンネルに基づいて新たなデータベースを作成する。すなわち、従来の自動プログラミング装置では、元々記憶されていたチャンネルデータに上書きせずに、自動プログラミング機能を複数回実行することができない。
【００１７】
デジタルテレビジョン受像機（以下、ＤＴＶ受像機という。）が、将来のテレビジョン放送の受像機として開発されている。図７は、従来のＤＴＶ受像機５０の構成を示すブロック図である。ＤＴＶ受像機５０は、図７に示すように、ＤＴＶ信号を受信するアンテナ４と、受信されたＤＴＶ信号から所望のチャンネルを選局するチューナ５１と、ＤＴＶ信号を復調する復調器５２と、ＤＴＶ信号から音声部と映像部を分離するデマルチプレクサ５３と、音声部を復号する音声デコーダ５４と、映像部を復号する映像デコーダ５５と、これらの回路を制御するマイクロプロセッサ５６とを備える。
【００１８】
アンテナ４は、空中を介して伝送されてくるＤＴＶ信号を受信する。このようにＤＴＶ信号は、地上波のみによって伝送されるため、ケーブル伝送の信号と互換性がない。アメリカ合衆国では、ＤＴＶのフォーマットとして、８ＶＳＢが知られている。チューナ５１は、個々のチャンネルを識別して分離する。復調器５２は、あるチャンネルが有効なＤＴＶ信号を有しているかどうかを検出する。デマルチプレクサ５３は、高精細度のＤＴＶ信号を、他の放送信号及びサービス信号と同様に、音声部（音声データ）と映像部（映像データ）に分離する。音声デコーダ５４は、デマルチプレクサ（分離）された音声部を復号する。ＤＴＶ信号の音声部は、例えばドルビーＡＣ−３の音声フォーマットを有する。映像デコーダ５５は、例えばアメリカ合衆国で用いられている映像フォーマットであるＭＰＥＧフォーマットの映像部を復号する。ＤＴＶ受像機５０のこれらの機能の動作は、マイクロプロセッサ５６の制御の下で行われる。
【００１９】
上述したように、ＤＴＶ放送は、ケーブル放送と異なり、例えば空中等の地上波によって行われる。このため、ＤＴＶのフォーマットは、ケーブル伝送用のフォーマットである標準のＮＴＳＣフォーマット、ＰＡＬフォーマット及びＳＥＣＡＭフォーマットと互換性がない。したがって、アンテナ４がＤＴＶ用の入力源となるため、有効なＤＴＶ信号を利用できるか否かは、ＤＴＶ受像機５０のアンテナ４の位置によって影響される。換言すると、有効なＤＴＶ信号を受信できるかは、屋根等に設置された回転可能なアンテナ又は室内アンテナの方向に影響される。
【００２０】
このような状況下では、従来のアナログ（ＮＴＳＣ）信号とＤＴＶ信号とを受信するテレビジョン受像機をチャンネルマッピングするには問題がある。ＤＴＶ放送において、アンテナを１つの位置に固定した状態では、１回自動プログラミングで現在利用可能なＤＴＶチャンネルを完全にマッピングすることはできない。また、従来の自動プログラミング装置は、その時点のチャンネルマップデータベースを上書きするので、ＤＴＶチャンネルのような他のチャンネルを自動的に追加することができず、従来のアナログチャンネル及びＤＴＶチャンネルの両方を完全にチャンネルマッピングすることができない。
【００２１】
【発明が解決しようとする課題】
本発明は、上述した実情に鑑みてなされたものであり、本発明の目的は、チャンネルの信号が継続的又は安定的に利用できない場合でも、自動的にプログラミングすることができるテレビジョン受像機、及びそのテレビジョン受像機の自動プログラミング方法及び装置を提供することである。
【００２２】
また、本発明の目的は、従来のアナログテレビジョン信号及びデジタルテレビジョン信号を受信するとともに、アナログチャンネルとデジタルチャンネルをマッピングすることができるテレビジョン受像機、及びそのテレビジョン受像機の自動プログラミング方法及び装置を提供することである。
【００２３】
【課題を解決するための手段】
本発明に係るアナログチャンネル及びデジタルチャンネルを受信するテレビジョン受像機は、チャンネルがスキップされるか否かを示すスキップデータを記憶する記憶手段と、異なる位置に移動可能なアンテナを少なくとも含み、チャンネルを受信する入力手段と、入力手段に接続され、個々のチャンネルを選局する選択手段と、選択手段に接続され、チャンネルがアナログチャンネルかデジタルチャンネルかを検出する検出手段と、検出手段で検出された各アナログチャンネルのスキップデータを記憶手段に記憶することによりアナログチャンネルを自動的にプログラミングする第１の自動プログラミング手段と、検出手段で検出された各デジタルチャンネルのスキップデータを記憶手段に記憶することによりデジタルチャンネルを自動的にプログラミングする第２の自動プログラミング手段とを備える。
【００２４】
そして、このテレビジョン受像機では、従来のアナログチャンネルを識別し、識別された各チャンネルのスキップフラグデータを記憶手段に記憶する。次に、デジタルテレビジョンチャンネルを識別し、前に記憶されたチャンネルマップ情報を削除又は上書きせずに、識別された各デジタルテレビジョンチャンネルのスキップフラグデータを記憶手段に記憶する。
【００２５】
また、このテレビジョン受像機では、マッピングされたデジタルテレビジョンチャンネルのアンテナの位置の情報を記憶手段に記憶する。
【００２６】
【発明の実施の形態】
以下、本発明に係るテレビジョン受像機、自動プログラミング方法及び装置について、図面を参照しながら説明する。
【００２７】
図１は、ＮＴＳＣチャンネルの番組とデジタルテレビジョン（以下、ＤＴＶという。）チャンネルの番組を表示する本発明を適用したテレビジョン受像機（以下、ＮＴＳＣ／ＤＴＶ受像機という。）の構成を示すブロック図である。このＮＴＳＣ／ＤＴＶ受像機は、図５の従来のＮＴＳＣテレビジョン受像機４０の回路と、図７の従来のＤＴＶ受像機５０の回路を組み合わせたものである。
【００２８】
図１に示すように、本発明を適用したＮＴＳＣ／ＤＴＶ受像機１０は、ＮＴＳＣ方式の放送信号から所望のチャンネルを選局するチューナ１１と、選局されたチャンネルの映像信号を増幅する映像中間周波増幅器１２と、映像信号から水平同期信号を分離する水平同期分離回路１３と、映像信号からＲＧＢ信号を再生する映像信号処理回路１４と、ＤＴＶ信号を受信するアンテナ１と、受信されたＤＴＶ信号から所望のチャンネルを選局するチューナ２１と、選局されたチャンネルのＤＴＶ信号を復調する復調器２２と、復調されたＤＴＶ信号から音声部と映像部を分離するデマルチプレクサ２３と、音声部を復号する音声デコーダ２４と、映像部を復号する映像デコーダ２５と、映像信号処理回路１４と映像デコーダ２５からのＲＧＢ信号を切り換え選択するアナログミキサ／スイッチ３１と、画像を表示する陰極線管（cathode ray tube：以下、ＣＲＴという。）３２と、これらの回路を制御するマイクロプロセッサ３３と、後述するスキップフラグデータを記憶するスキップデータメモリ３４とを備える。
【００２９】
チューナ１１には、例えば同軸ケーブル２を介して伝送されてくるＮＴＳＣ方式のテレビジョン信号が供給される。マイクロプロセッサ３３は、チューナ１１内の位相同期ループ（phase lock loop：以下、ＰＬＬという。）回路を制御するための選局データを生成する。この選局データは、直列データとしてチューナ１１に供給され、チューナ１１は、選局データに基づいて所望のＮＴＳＣチャンネルを選局する。この際、チューナ１１は、同調ずれを補償するための自動微同調制御（automatic fine tuning：以下、ＡＦＴという。）電圧を発生し、このアナログのＡＦＴ電圧は、例えばマイクロプロセッサ３３に内蔵されたアナログ／デジタル変換器３３ａに供給され、デジタル信号に変換される。ところで、選局したチャンネルの信号が正常に受信されるときには、ＡＦＴ電圧はある規定の範囲内にあり、マイクロプロセッサ３３は、ＡＦＴ電圧を検出する。そして、受信信号が音声搬送波ではなく映像搬送波であることを示すＡＦＴ電圧が一旦設定されると、映像中間周波増幅器１２は、チューナ１１からの映像信号をダウンコンバートするとともに増幅し、増幅した映像信号を水平同期分離回路１３及び映像信号処理回路１４に供給する。水平同期分離回路１３は、映像信号から水平同期信号を分離して、マイクロプロセッサ３３に供給する。マイクロプロセッサ３３は、その水平同期信号をサンプリングし、水平同期信号が実際に１５．７３４ｋＨｚであるかを検証する。そして、そうでない場合は、音声搬送波が捕捉されたか、又は受信信号が有効なＮＴＳＣ信号ではないかのいずれかを意味する。受信信号がＮＴＳＣ信号である場合、映像信号処理回路１４は、映像中間周波増幅器１２で増幅された映像信号からＲＧＢ信号を再生して、アナログミキサ／スイッチ３１に供給する。
【００３０】
一方、アンテナ１は、空中を介して伝送されてくるＤＴＶ信号を受信する。このようにＤＴＶ信号は、地上波のみによって伝送されるため、ケーブル伝送の信号と互換性がない。アメリカ合衆国では、ＤＴＶのフォーマットとして、８ＶＳＢが知られている。チューナ２１は、個々のチャンネルを識別して分離する。復調器２２は、あるチャンネルが有効なＤＴＶ信号を有しているかどうかを検出する。デマルチプレクサ２３は、高精細度のＤＴＶ信号を、他の放送信号及びサービス信号と同様に、音声部（音声データ）と映像部（映像データ）に分離する。音声デコーダ２４は、デマルチプレクサ（分離）された音声部を復号して、音声信号を出力する。ＤＴＶ信号の音声部は、例えばドルビーＡＣ−３の音声フォーマットを有する。映像デコーダ２５は、例えばアメリカ合衆国で用いられている映像フォーマットであるＭＰＥＧフォーマットの映像部を復号して、ＲＧＢ信号を再生し、このＲＧＢ信号をアナログミキサ／スイッチ３１に供給する。
【００３１】
アナログミキサ／スイッチ３１は、マイクロプロセッサ３３の制御の下に、映像信号処理回路１４からのＲＧＢ信号と映像デコーダ２５からのＲＧＢ信号を切り換え選択して、ＣＲＴ３２に供給する。かくして、ケーブル２を介して伝送され、選局されたＮＴＳＣチャンネルの番組、又はアンテナ１で受信され、選局されたＤＴＶチャンネルの番組の画像がＣＲＴ３２の表示画面に表示される。
【００３２】
このように、マイクロプロセッサ３３は、ＮＴＳＣ方式の受信回路とびＤＴＶ方式の受信回路の各機能を制御するとともに、後述する本発明を適用した自動プログラミング機能を制御する。なお、例えばスケーリング回路やスーパーインポーズ回路を用いることによって、１つ以上の画像を同時にＣＲＴ３２の表示画面に表示するようにしてもよい。具体的には、１つの画像を最大に表示し、もう１つの画像を縮小して最初の画像に重ねるように表示してもよい。或いは、２つの画像が隣り合って表示されるように、２つの画像を同じ大きさで表示してもよい。また、例えば、映像信号処理回路１４又は映像デコーダ２５からの出力を映像信号や、輝度信号及び色差信号とし、アナログミキサ／スイッチ３１でＲＧＢ信号に変換するようにしてもよい。
【００３３】
図２は、本発明を適用したＮＴＳＣ／ＤＴＶ受像機１０の自動プログラミング機能を説明するためのフローチャートである。
【００３４】
まず、ステップＳ１において、マイクロプロセッサ３３は、ＮＴＳＣチャンネルのみに対して自動プログラミングを行い、スキップデータメモリ３４に、有効なＮＴＳＣチャンネルを記憶する。
【００３５】
次に、ステップＳ２において、マイクロプロセッサ３３は、ＤＴＶチャンネルに対して自動プログラミングを行い、スキップデータメモリ３４に、有効なＤＴＶチャンネル及びアンテナの位置情報を記憶する。
【００３６】
最後に、ステップＳ３において、マイクロプロセッサ３３は、アンテナが異なる位置にある状態で、ＤＴＶチャンネルに対して自動プログラミングを行い、スキップデータメモリ３４に有効なＤＴＶチャンネル及びアンテナの位置情報を記憶する。
【００３７】
図３は、上述した図２のステップＳ１〜ステップＳ３の詳細を示すフローチャートであり、図２におけるステップＳ１が、図３のステップＳ１１〜ステップＳ１７においてより詳細に説明されている。自動プログラミングにおけるこれらのステップＳ１１〜ステップＳ１７は、マイクロプロセッサ３３によって実行され、従来の標準的なＮＴＳＣの自動プログラミング装置の動作と同様に、有効なＮＴＳＣチャンネルのみが、スキップデータメモリ３４にマッピングされる。
【００３８】
具体的には、ステップＳ１１において、チューナ１１は、チャンネルＣＨを、例えば最も小さい番号に設定し、そのチャンネルをアクセスする。
【００３９】
ステップＳ１２（ステップＳ１２−Ｓ１６−Ｓ１７−Ｓ１２に戻るループ）において、自動プログラミングの前に、マイクロプロセッサ３３は、スキップデータメモリ３４に記憶されている全てのチャンネルに対するスキップフラグ（以下、ＳＦＬＧという。）ＳＦＬＧデータを“０”に設定する。ＮＴＳＣ方式のチューナ１１は、上述したようにチャンネルの選局信号を合成するＰＬＬ回路を備えている。
【００４０】
ステップＳ１３において、マイクロプロセッサ３３は、ＰＬＬ回路のチャンネルデータをアクセスして、チャンネルＣＨで示されるチャンネルを選択するようにチューナ１１を制御する。
【００４１】
ステップＳ１４において、マイクロプロセッサ３３は、そのチャンネルで有効なＮＴＳＣ信号が受信されているかを判定し、該当する（ＹＥＳ）ときはステップＳステップＳ１５に進み、該当しない（ＮＯ）ときはステップＳ１６に進む。すなわち、有効な信号が受信されていないチャンネルに対しては、スキップデータメモリ３４のＳＦＬＧデータが“０”のまま保持される。
【００４２】
一方、ステップＳ１５において、マイクロプロセッサ３３は、そのチャンネルのＳＦＬＧデータを“１”に設定するとともに、スキップデータメモリ３４内の後述するＮＴＳＣ／８ＶＳＢを“１”に設定した後、ステップＳ１６に進む。
【００４３】
ステップＳ１６において、マイクロプロセッサ３３は、チャンネルＣＨを１増加させ（ＣＨ＝ＣＨ＋１）、次のチャンネルをアクセスする。
【００４４】
ステップＳ１７において、マイクロプロセッサ３３は、全てのチャンネルに対して処理を行ったかを判定し、該当するときは終了し、該当しないときはステップＳ１２に戻り、ステップＳ１２〜ステップＳ１６の処理を繰り返す。これによって、例えば若い番号のチャンネルから順次アクセスされ、有効なＮＴＳＣチャンネルに対しては、ＳＦＬＧデータが“１”に設定され、有効なＮＴＳＣチャンネルでないチャンネル、すなわち無効なチャンネルに対しては、ＳＦＬＧデータが“０”の設定のまま保持される。そして、ステップＳ１７において、チューナ１１がアクセスできる全てのチャンネルがアクセスされると、図２のステップＳ１の処理が終了する。
【００４５】
ところで、有効なＮＴＳＣチャンネルと有効なＤＴＶ（８ＶＳＢ）チャンネルの両方を調べるには時間がかかるので、本発明では、自動プログラミングに要する時間を短縮するために、ＮＴＳＣチャンネルを最初にマッピングするようにしている。
【００４６】
ここで、スキップデータメモリ３４の内容を図４に示す。“チャンネル”と題された欄には、検出されたＮＴＳＣの各チャンネル番号が示されている。“スキップフラグデータ”と題された欄には、スキップデータメモリ３４に入力された初期状態の“０”か、又はそれを変更した“１”が示されている。“０”は、利用者による操作の間にスキップされるべきチャンネルを示し、“１”は、利用者による操作の間にスキップされるべきではないチャンネルを示している。“ＮＴＳＣ／８ＶＳＢ”と題された欄には、“１”又は“０”が示されており、チャンネルがＮＴＳＣチャンネルであるときには、“１”が示され、チャンネルが８ＶＳＢのチャンネルであるときには、“０”が示される。ＮＴＳＣ方式の映像信号は、ケーブル（有線）又はアンテナ（無線）のいずれかによって供給される。ＮＴＳＣ方式の映像信号がアンテナによって供給される場合には、各ＮＴＳＣチャンネルを受信するのに適したアンテナの位置が、“アンテナ位置”と題された欄に示される。
【００４７】
ステップＳ１７において、有効なＮＴＳＣチャンネルのチャンネルマッピングが終了すると、図２におけるステップＳ２に示した、ＤＴＶチャンネルの自動プログラミングが開始される。この図２におけるステップＳ２は、図３のステップＳ１８〜ステップＳ２５においてより詳細に説明されている。
【００４８】
ステップＳ１８において、チューナ２１は、ＮＴＳＣチャンネルの自動プログラミングの際にまだマッピングされていない、すなわちＮＴＳＣ／８ＶＳＢが“０”のチャンネルの中で最も小さい番号のチャンネルをアクセスする（チャンネルＣＨ＝まだマッピングされていないチャンネル内の最も若い番号）。
【００４９】
ステップＳ１９（ステップＳ１９−Ｓ２０−Ｓ２１−Ｓ１９に戻るループ）において、マイクロプロセッサ３３は、まだマッピングされていない全てのチャンネルのＳＦＬＧデータを“０”に設定する。具体的には、マッピングされていないチャンネルの内の最も小さい番号のチャンネルのＳＦＬＧデータが“０”でない場合は、ステップ１９においてＳＦＬＧデータを“０”に設定し、ステップＳ２０においてチャンネルＣＨを１増加させ、まだマッピングされていない次のチャンネルをアクセスし、そのＳＦＬＧデータを“０”に設定する。このように、マイクロプロセッサ３３は、マッピングされていない、すなわちＮＴＳＣ／８ＶＳＢが“０”の全てのチャンネルのＳＦＬＧデータが“０”になるまで、ステップＳ１９〜ステップＳ２１の処理を繰り返す。
【００５０】
まだマッピングされていない全てのチャンネルのＳＦＬＧデータが“０”になると、ステップＳ２２において、マイクロプロセッサ３３は、チューナ２１のＰＬＬ回路のチャンネルデータをアクセスして、チャンネルＣＨで示されるチャンネルを選択するようにチューナ２１を制御する。
【００５１】
ステップＳ２３において、マイクロプロセッサ３３は、復調器２２からの後述する信号に基づいて、そのチャンネルで有効なＤＴＶ（８ＶＳＢ）信号が受信されているかを判定し、該当するときはステップＳ２４に進み、該当しないときはステップＳ２０に進む。すなわちチャンネルが有効なＤＴＶ（８ＶＳＢ）のチャンネルではない場合は、上述したように、ＳＦＬＧデータは“０”のまま保持され、次のチャンネルがアクセスされる。
【００５２】
そのチャンネルが有効なＤＴＶ（８ＶＳＢ）のチャンネルである場合は、ステップＳ２４において、マイクロプロセッサ３３は、アンテナ１の位置データをスキップデータメモリ３４に記憶し、ステップＳ２５において、有効なＤＴＶチャンネルであることを示すようにＳＦＬＧデータが“１をするとともに、スキップデータメモリ３４内のＮＴＳＣ／８ＶＳＢを“０”とする。
【００５３】
このようにして、本発明を適用したＮＴＳＣ／ＤＴＶ受像機１０では、最初にマッピングしたＮＴＳＣチャンネルを上書きすることなく、ＤＴＶチャンネルをマッピングすることができ、利用者は、有効なチャンネルのみを選局することができる。
【００５４】
復調器２２があるチャンネルが有効な８ＶＳＢチャンネルであるかどうかを決定する方法には、幾つかの方法がある。１つの方法は、８ＶＳＢのパイロット信号の有無を検出することによる方法である。別の方法は、有効なセグメント及び／又はフィールド同期信号を検出することによる方法である。有効なＮＴＳＣチャンネルを有効な８ＶＳＢチャンネルと識別する方法は、従来より知られている。例えば、１つの方法は、水平及び／又は垂直同期信号を検出する方法である。８ＶＳＢチャンネルのフィールド同期信号は２４．２ｍｓｅｃであり、ＮＴＳＣチャンネルフィールド同期信号の１６．７ｍｓｅｃよりも明らかに長いので、アナログチャンネルとデジタルチャンネルとを区別することができる。
【００５５】
図３のステップＳ１８〜ステップＳ２５において、全てのＤＴＶチャンネルがアクセスされると、ある特定のアンテナ位置でのＤＴＶチャンネルの自動プログラミングが完了する。その後、図２のステップＳ３において、アンテナが異なる位置にある状態で更にＤＴＶチャンネルがマッピングされ、自動プログラミングが繰り返される。
【００５６】
上述したように、ＤＴＶチャンネルは、地上波によって、異なる場所から伝送されるため、最初に行ったＤＴＶチャンネルの自動プログラミングの際に、有効なＤＴＶチャンネルを得られない場合もある。ところが、本発明を適用したＮＴＳＣ／ＤＴＶ受像機１０では、アンテナが異なる位置に動かされたり回転されたりした状態でも、自動プログラミングを繰り返すことができ、追加的にＤＴＶチャンネルをマッピングすることができる。また、本発明を適用しＮＴＳＣ／ＤＴＶ受像機１０では、自動プログラミングを繰り返した場合に、上述したように、既にマッピングされたチャンネルに上書きせずに、追加的にチャンネルをマッピングすることができる。
【００５７】
なお、本発明の実施の形態では、ＮＴＳＣ／８ＶＳＢフォーマットのテレビジョン受像機に用いられる自動プログラミングについて説明したが、これらは、アメリカ合衆国で標準とされているアナログ／デジタルフォーマットである。アメリカ合衆国以外の国では、ＰＡＬ、ＳＥＣＡＭといったアナログフォーマットや、８ＶＳＢ以外のデジタルフォーマットが用いられている。本発明は、これらの他のフォーマットでも応用できることは言うまでもない。
【００５８】
【発明の効果】
本発明では、従来のアナログチャンネルを識別し、識別された各チャンネルのスキップフラグデータを記憶手段に記憶する。次に、デジタルテレビジョンチャンネルを識別し、前に記憶されたチャンネルマップ情報を削除又は上書きせずに、識別された各デジタルテレビジョンチャンネルのスキップフラグデータを記憶手段に記憶する。これによって、本発明では、利用者は、有効なチャンネルのみを選局することができる。
【図面の簡単な説明】
【図１】本発明を適用したＮＴＳＣ／ＤＴＶ受像機の構成を示すブロック図である。
【図２】本発明を適用したＮＴＳＣ／ＤＴＶ受像機の自動プログラミング機能を説明するためのフローチャートである。
【図３】本発明を適用したＮＴＳＣ／ＤＴＶ受像機の自動プログラミング機能を詳細に説明するためのフローチャートである。
【図４】スキップデータメモリに記憶された内容の一具体例を示す図である。
【図５】従来のＮＴＳＣ方式のテレビジョン受像機の構成を示すブロック図である。
【図６】従来のＮＴＳＣ方式のテレビジョン受像機の自動プログラミング機能を説明するためのフローチャートである。
【図７】従来のＤＴＶ受像機の構成を示すブロック図である。
【符号の説明】
１  アンテナ、１１，２１  チューナ、１２  映像中間周波増幅器、１３  水平同期分離回路、１４  映像信号処理回路、２２  復調器、２３  デマルチプレクサ、２４  音声デコーダ、２５  映像デコーダ、３１  アナログミキサ／スイッチ、３２  ＣＲＴ、３３  マイクロプロセッサ、３４  スキップデータメモリ
【図１】
0004255572.tif 000002
【図２】
0004255572.tif 000003
【図３】
0004255572.tif 000004
【図４】
0004255572.tif 000005
【図５】
0004255572.tif 000006
【図６】
0004255572.tif 000007
【図７】
0004255572.tif 000008